(57)【特許請求の範囲】
【請求項１】
複数の端子収容室を有するコネクタハウジングと、
前記各端子収容室に収容される第１接続端子の電線圧着部が電線の端末部にそれぞれ接続された複数の第１端子付電線と、
前記複数の端子収容室の端子挿入口を覆うように前記コネクタハウジングに取り付けられるカバーと、
を備えたコネクタの組立方法であって、
前記複数の第１端子付電線における、前記電線圧着部、及び、前記電線圧着部に接続された前記端末部から延びる前記電線の部分が、前記カバーの電線保持部における縦溝部に保持される第１工程と、
前記カバーに保持された前記複数の第１端子付電線における前記第１接続端子が、前記端子収容室にそれぞれ挿入される第２工程と、
前記カバーが前記コネクタハウジングに取り付けられる第３工程と、
を含み、
前記コネクタは、前記第１接続端子よりも端子接続部の長さが短い第２接続端子が端末部にそれぞれ接続された第２端子付電線を有しており、
前記第１工程の前に、前記第２接続端子の端子接続部が、前記コネクタハウジングの前記端子収容室に挿入される第４工程を含み、
前記第２工程では、前記カバーに保持された前記第１接続端子の端子接続部が前記端子収容室に挿入案内された後、前記カバーの被ガイド部が前記コネクタハウジングのガイド部に嵌合されて前記コネクタハウジングに対する位置決めがなされ、
前記第１工程では、前記カバーに取り付けられるスペーサにより、前記第１接続端子が前記カバーと前記スペーサとにより前記カバーの前記コネクタハウジングへの取付方向に挟まれるように、前記第１接続端子が前記カバーに保持され、
前記第３工程では、前記端子収容室に収容された前記第２接続端子が前記コネクタハウジングと前記スペーサとにより前記取付方向に挟まれるように、前記カバーが前記コネクタハウジングに取り付けられる、ことを特徴とするコネクタの組立方法。  
【発明の詳細な説明】
【技術分野】
【０００１】
本発明は、コネクタの組立方法に関する。
【背景技術】
【０００２】
一般に、複数の電気部品や電機機器等において、ケーブルを着脱自在に接続するためのコネクタが知られている（特許文献１参照）。
図１９に示すコネクタ５０１は、同軸ケーブル５０３の端部にそれぞれ取り付けられて軸方向に延出する接続部５０５に対し屈曲する端子部５０７によりＬ字型となる第１接続端子５０９及び第２接続端子５１１と、ハウジング５２３と、カバー５２５と、隔壁部材５３１と、を有する。ハウジング５２３は、接続部５０５を収容する収容凹部５１３が形成される本体部５１５と、本体部５１５に一体に形成されている突設部５２１とから成り、一体に形成されている。突設部５２１は、本体部５１５の先端部から相手側コネクタへの嵌合方向に突出形成されると共に端子部５０７を収容する第１収容孔部５１７及び第２収容孔部５１９が収容凹部５１３に連通形成されている。カバー５２５及び隔壁部材５３１は、収容凹部５１３、第１収容孔部５１７並びに第２収容孔部５１９を反嵌合方向から閉塞する。ハウジング５２３の第１収容孔部５１７及び第２収容孔部５１９は、反嵌合方向から挿入された端子部５０７を同軸ケーブル５０３の軸方向に位置決めして収容する。また、カバー５２５及び隔壁部材５３１は、第１収容孔部５１７及び第２収容孔部５１９に収容された端子部５０７の反嵌合方向側端部に当接し、端子部５０７の反嵌合方向への動きを拘束する支持部５２７及び支持部５２９を有する。
【０００３】
このようなコネクタ５０１を組み立てるには、まず、作業者は、ハウジング５２３の収容凹部５１３及び第１収容孔部５１７に対し、上方から第１接続端子５０９を臨ませ、第１接続端子５０９の端子部５０７を第１収容孔部５１７に挿入し、第１接続端子５０９の接続部５０５を収容凹部５１３に挿入する。
次に、作業者は、ハウジング５２３の各収容凹部５１３及び各第１収容孔部５１７に対し、上方から隔壁部材５３１を臨ませ、隔壁部材５３１をハウジング５２３の内部に押下げる。第１接続端子５０９は、前壁５３３と支持部５２７とにより挟持された状態で、端子部５０７が第１収容孔部５１７に保持される。
次に、作業者は、隔壁部材５３１の各隔壁側収容凹部５３５及びハウジング５２３の各第２収容孔部５１９に対し、上方から第２接続端子５１１を臨ませ、第２接続端子５１１の端子部５０７を第２収容孔部５１９に挿入し、第２接続端子５１１の接続部５０５を隔壁側収容凹部５３５に挿入する。
次に、作業者は、ハウジング５２３の上端部に対し、上方からカバー５２５を取り付ける。第２接続端子５１１は、前壁５３３と支持部５２９とにより挟持された状態で、端子部５０７が第２収容孔部５１９に保持される。これにより、コネクタ５０１の組立が完了する。
【０００４】
このようなコネクタ５０１によれば、端子部５０７が、ランス部等の係止手段である突起物を有していないため、第１収容孔部５１７及び第２収容孔部５１９は、端子部５０７のみを収容可能な最小限の大きさに形成することができる。すなわち、第１収容孔部５１７及び第２収容孔部５１９は、端子部５０７を非係止状態に収容することができる。これにより、ランス部を有する接続端子（端子部）を収容する場合と比して、突設部５２１を小型化できる。
【先行技術文献】
【特許文献】
【０００５】
【特許文献１】特開２０１４−１０７１３９号公報
【発明の概要】
【発明が解決しようとする課題】
【０００６】
しかしながら、複数の端子付電線５３９及び端子付電線５４１の端末部に接続された第１接続端子５０９及び第２接続端子５１１をハウジング５２３の第１収容孔部５１７及び第２収容孔部５１９（端子収容室）に順次収容する際、後挿入の端子付電線５４１は、電線同士が結束されていなく、端部で第２接続端子５１１がフリーとなる。このため、端子付電線５４１は、取り回しによって電線同士が絡んだり、接続端子同士が接触して傷が付いたりする可能性がある。また、端子付電線５３９及び端子付電線５４１は、第１接続端子５０９及び第２接続端子５１１をハウジング５２３の端子収容に順次挿入する際、端子を識別して対応する端子収容室に挿入する必要が有り、作業性が良くない。
【０００７】
本発明は上記状況に鑑みてなされたもので、その目的は、電線の絡みや端子の傷付きを防止して、端子挿入作業を良好に行うことができるコネクタの組立方法を提供することにある。
【課題を解決するための手段】
【０００８】
本発明に係る上記目的は、下記構成により達成される。
（１）  複数の端子収容室を有するコネクタハウジングと、前記各端子収容室に収容される第１接続端子の電線圧着部が電線の端末部にそれぞれ接続された複数の第１端子付電線と、前記複数の端子収容室の端子挿入口を覆うように前記コネクタハウジングに取り付けられるカバーと、を備えたコネクタの組立方法であって、前記複数の第１端子付電線における、前記電線圧着部、及び、前記電線圧着部に接続された前記端末部から延びる前記電線の部分が、前記カバーの電線保持部における縦溝部に保持される第１工程と、前記カバーに保持された前記複数の第１端子付電線における前記第１接続端子が、前記端子収容室にそれぞれ挿入される第２工程と、前記カバーが前記コネクタハウジングに取り付けられる第３工程と、を含み、前記コネクタは、前記第１接続端子よりも端子接続部の長さが短い第２接続端子が端末部にそれぞれ接続された第２端子付電線を有しており、前記第１工程の前に、前記第２接続端子の端子接続部が、前記コネクタハウジングの前記端子収容室に挿入される第４工程を含み、前記第２工程では、前記カバーに保持された前記第１接続端子の端子接続部が前記端子収容室に挿入案内された後、前記カバーの被ガイド部が前記コネクタハウジングのガイド部に嵌合されて前記コネクタハウジングに対する位置決めがなされ、前記第１工程では、前記カバーに取り付けられるスペーサにより、前記第１接続端子が前記カバーと前記スペーサとにより前記カバーの前記コネクタハウジングへの取付方向に挟まれるように、前記第１接続端子が前記カバーに保持され、前記第３工程では、前記端子収容室に収容された前記第２接続端子が前記コネクタハウジングと前記スペーサとにより前記取付方向に挟まれるように、前記カバーが前記コネクタハウジングに取り付けられる、ことを特徴とするコネクタの組立方法。
【０００９】
上記（１）に記載のコネクタの組立方法によれば、複数の第１端子付電線が、カバーの電線保持部に保持される。この際、それぞれの第１端子付電線は、電線の端末部に第１接続端子が圧着等により接続された後、接続順にカバーへ保持させることができる。そのため、複数の第１端子付電線はフリーとならず、端子同士の接触や電線同士の絡みが生じない。
カバーは、全ての第１端子付電線を保持した状態で、コネクタハウジングに取り付けられる。カバーは、コネクタハウジングに取り付けられる際、先ず、保持している第１端子付電線の第１接続端子が、端子収容室に挿入される。この際、複数の第１端子付電線は、カバーによって既に第１接続端子が所定の順に並べられているので、例えば片側から順に第１接続端子をコネクタハウジングの端子収容室へ挿入していけばよく、挿入対象の端子収容室を確認する手間が省け、挿入作業を良好に行うことができる。
【００１１】
更に、上記（１）に記載のコネクタの組立方法によれば、コネクタが、第１端子付電線と、第２端子付電線とを有する。第１端子付電線の端子接続部は、第２端子付電線の端子接続部よりも長い。端子接続部が短い第２端子付電線は、第１端子付電線よりも先に端子接続部がコネクタハウジングに挿入される。端子接続部が長い第１端子付電線は、カバーに保持された状態で、第２端子付電線の後方から重ねられてコネクタハウジングへ挿入することができる。この際、第１端子付電線は、先ず、端子接続部が端子収容室の端子挿入口に挿入されて挿入案内される。挿入過程において、続けてカバーの被ガイド部がコネクタハウジングのガイド部に嵌合される。これにより、カバーは、コネクタハウジングに対して位置規制されながらコネクタハウジングに取り付けられる。カバーは、クリアランスの大きい端子接続部と端子挿入口による規制、クリアランスの小さい被ガイド部とガイド部とによる規制と、徐々に規制範囲が小さくなるので、組み付け作業を良好に行うことができる。
【００１３】
更に、上記（１）に記載のコネクタの組立方法によれば、複数の第１端子付電線が、スペーサによりカバーの電線保持部に保持される。つまり、複数の第１端子付電線が、カバーにプリセットされる。これにより、複数の第１端子付電線はフリーとならず、端子同士の接触や電線同士の絡みが生じない。
カバーは、全ての第１端子付電線を保持した状態で、コネクタハウジングに取り付けられる。カバーは、コネクタハウジングに取り付けられた際、スペーサが第２接続端子に当接する。これにより、スペーサは、端子収容室に収容された第２接続端子の抜け止めをすることができる。
【発明の効果】
【００１６】
本発明に係るコネクタの組立方法によれば、電線の絡みや端子の傷付きを防止して、端子挿入作業を良好に行うことができる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】本発明の第１実施形態に係るコネクタを相手側コネクタと共に表した分解斜視図である。
【図２】図１に示したコネクタハウジングを後方から見た背面図である。
【図３】（ａ）は図１に示したカバーを前方より見た正面図、（ｂ）は（ａ）のＡ−Ａ断面図である。
【図４】図１に示したスペーサを後方斜め上方より見た斜視図である。
【図５】（ａ）は第２端子付電線が装着されたコネクタハウジングを表す手順説明図、（ｂ）は第１端子付電線がセットされたカバーを表す手順説明図である。
【図６】（ａ）は第１端子付電線がスペーサにより保持されたカバーを表す手順説明図、（ｂ）は第２端子付電線がセットされたコネクタハウジングと第１端子付電線が保持されたカバーの組み付け前の状態を表す手順説明図である。
【図７】スペーサとカバーとの係止構造を表す要部拡大図である。
【図８】第２端子付電線がセットされたコネクタハウジングを要部拡大図と共に表した手順説明図である。
【図９】第１端子付電線がセットされたカバーを要部拡大図と共に表した手順説明図である。
【図１０】第２端子付電線を保持したコネクタハウジングと第１端子付電線を保持したカバーの組み付け前の状態を表す手順説明図である。
【図１１】ガイド部と被ガイド部との係合状態を要部拡大図と共に表した手順説明図である。
【図１２】組み付けが完了したコネクタの斜視図である。
【図１３】本発明の第２実施形態に係るコネクタの分解斜視図である。
【図１４】図１３に示したカバーとリテーナの分解斜視図である。
【図１５】（ａ）は第１端子付電線がセットされたカバーを表す手順説明図、（ｂ）はカバーに保持された第１端子付電線の第１接続端子が端子挿入口に挿入される直前の状態を表す手順説明図である。
【図１６】カバーに設けられる電線保持部の要部拡大図である。
【図１７】（ａ）はリテーナが仮係止位置のカバー及びコネクタハウジングを表す手順説明図、（ｂ）はリテーナが本係止位置となったカバー及びコネクタハウジングを表す手順説明図である。
【図１８】リテーナが本係止位置となったカバーの斜視図である。
【図１９】従来のコネクタの分解斜視図である。
【発明を実施するための形態】
【００１９】
以下、本発明に係る実施形態を図面を参照して説明する。
図１は本発明の第１実施形態に係るコネクタ１００を相手側コネクタ４７と共に表した分解斜視図である。
本第１実施形態に係るコネクタの組立方法に用いられるコネクタ１００は、コネクタハウジング１１と、２本の第１端子付電線１３と、カバー１５と、スペーサ１７と、２本の第２端子付電線１９と、を有する。なお、本実施形態において、上下前後左右の方向は、図１に示した矢印の方向に従う。
【００２０】
各第１端子付電線１３は、電線２１の端末部に、Ｌ字状の第１接続端子２３が接続されている。また、各第２端子付電線１９は、電線２１の端末部に、Ｌ字状の第２接続端子２５が接続されている。第１接続端子２３及び第２接続端子２５は、導電性の良好な金属板を円筒形に形成した第１端子接続部２７及び第２端子接続部２９を有する。そして、第１端子接続部２７及び第２端子接続部２９には、軸線に直交方向する方向に曲げられた電線圧着部３１がそれぞれ連設されている。第１端子接続部２７は、第２端子接続部２９よりも軸線に沿う方向の長さが長く形成される。
【００２１】
本第１実施形態において、第１接続端子２３及び第２接続端子２５は、電磁シールドシェル（アウター端子）の内部に、不図示のインナー端子が組み込まれている。従って、電線２１は、芯線、内部被覆、編組シールド、外被の順に同軸で覆われる同軸電線（同軸ケーブル）となる。第１端子接続部２７及び第２端子接続部２９は、この電磁シールドシェルまたはアウター端子と称すことができる。そして、第１端子接続部２７及び第２端子接続部２９の内方には、インナー端子（図示略）が同軸で配置される。第１接続端子２３及び第２接続端子２５は、同軸電線の編組に導通接続される。また、インナー端子は、同軸電線の芯線に接続される。
【００２２】
なお、本発明のコネクタの組立方法に用いられる第１接続端子及び第２接続端子は、これら第１接続端子２３及び第２接続端子２５に限定されない。本発明に係る第１接続端子及び第２接続端子は、単一の端子に１本の導体が接続されるものであってもよい。
【００２３】
図２は図１に示したコネクタハウジング１１を後方から見た背面図である。
コネクタハウジング１１は、絶縁樹脂材により一体成形される。コネクタハウジング１１の下部には、電線収容箱部３３が後方に開放して形成される。電線収容箱部３３は、第２端子付電線１９の電線圧着部３１及び電線２１の端末部を収容する。電線収容箱部３３の両側面には、それぞれロック突起３５が突設されている。ロック突起３５は、コネクタハウジング１１の背面にカバー１５をロックするためのものである。電線収容箱部３３の上部には、嵌合部３７が一体に形成されている。嵌合部３７は、電線収容箱部３３よりも前方に突出している。
【００２４】
本第１実施形態では、左右一対に並設された第１端子付電線１３と、左右一対に並設された第２端子付電線１９とが、上下二段でコネクタハウジング１１に装着される。嵌合部３７の内部には、左右一対の端子収容室である第１端子収容室３９と、第２端子収容室４１とが、上下二段で形成されている。従って、コネクタハウジング１１の背面には、左右一対上下二段の合計４つの端子挿入口４３が開口する。
【００２５】
コネクタハウジング１１の上部には、弾性変位可能なロックアーム４５が一体に形成されている。コネクタハウジング１１は、図１に示した相手側コネクタ４７と嵌合部３７が結合する。なお、相手側コネクタは、電線が接続された端子を収容するコネクタや、プリント基板に実装されたコネクタでもよい。コネクタ１００は、嵌合部３７が相手側コネクタ４７に嵌合すると、ロックアーム４５が相手側コネクタ４７のロック部（図示略）に係止され、相手側コネクタ４７からの離脱が規制される。
【００２６】
このコネクタハウジング１１及び第２接続端子２５には、ランス等の係止構造が設けられていない。その分、嵌合部３７は小型に形成されている。
【００２７】
また、コネクタハウジング１１の一対の第１端子収容室３９の間には、コネクタハウジング１１の背面で開口するガイド部４９が形成されている。ガイド部４９は、前方に向かう角穴で形成されている（図１１参照）。このガイド部４９は、カバー１５に突設される被ガイド部５１（図１１参照）を嵌入可能とする。
【００２８】
図３の（ａ）は図１に示したカバー１５を前方より見た正面図である。
カバー１５は、絶縁樹脂材により一体成形される。カバー１５は、左右一対の第１端子付電線１３を前面側に保持可能とされている。カバー１５の前面には、左右一対の第１端子付電線１３を収容保持する一対の凹状の縦溝部５３が形成されている。縦溝部５３は、上部が第１接続端子２３の後部に当接する端子押圧部５５となる。縦溝部５３は、下部が第１端子付電線１３の電線圧着部３１及び電線２１の端末部を収容保持する。
【００２９】
カバー１５の左右には、前方に突出する平行な一対のハウジングロック側板５７が突設されている。ハウジングロック側板５７は、コネクタハウジング１１の電線収容箱部３３の両側面に突設されたロック突起３５に係合するロック穴５９を有する。
【００３０】
図３の（ｂ）は図３の（ａ）のＡ−Ａ断面図である。
カバー１５は、それぞれのハウジングロック側板５７の内側に、一対の平行なスペーサ係合板６１が、前方に向かって突設されている。スペーサ係合板６１は、一対の基端部がカバー１５に接続されて、連結側の先端部が前方に突出している。スペーサ係合板６１の先端側上下には、一対の係合突起爪６３（図７参照）が突設されている。カバー１５は、このスペーサ係合板６１によりカバー１５と結合される。
【００３１】
図４は図１に示したスペーサ１７を後方斜め上方より見た斜視図である。
スペーサ１７は、絶縁樹脂材により一体成形される。スペーサ１７の背面には、左右一対の第１端子付電線１３を収容保持する一対のスペーサ凹溝部６５が上下に延在して形成されている。スペーサ凹溝部６５は、上部が第１接続端子２３の電線圧着部３１に当接する端子押さえ部６７となる。スペーサ凹溝部６５は、下部が第１端子付電線１３の電線２１を収容保持する部分となる。
【００３２】
また、スペーサ１７の前面上部には、左右一対の端子座部６９（図６参照）が形成されている。それぞれの端子座部６９は、コネクタハウジング１１に装着された第２端子付電線１９における第２接続端子２５の後部に当接する。
【００３３】
スペーサ１７の両側には、一対の平行なカバー係合側板７１が後方に向かって突出されている。カバー係合側板７１の側面には、前後方向に延在する溝７３が形成されている。スペーサ１７は、この溝７３に、カバー１５のスペーサ係合板６１が進入する。この溝７３の後方上下には、カバー１５の係合突起爪６３に係合する一対の係合爪７５が、溝７３の内側に向かって突設されている。
【００３４】
次に、上記構成を有する本第１実施形態に係るコネクタの組立方法を説明する。
図５の（ａ）は第２端子付電線１９が装着されたコネクタハウジング１１を表す手順説明図であり、図５の（ｂ）は第１端子付電線１３がセットされたカバー１５を表す手順説明図である。
本第１実施形態のコネクタの組立方法では、図１に示したように、電線２１の端末部に、先ず、第２接続端子２５が圧着される。電線２１は、外被が除去されて先端に芯線、内部被覆、編組シールドが順次露出される。芯線にはインナー端子が接続される。編組シールドは、第２端子接続部２９に接続される。第２接続端子２５が圧着された一対の第２端子付電線１９は、図５（ａ）に示すように、コネクタハウジング１１の後方から第２接続端子２５が第２端子収容室４１に挿入される。
【００３５】
次いで、図１に示したように、電線２１の端末部に、第１接続端子２３が圧着される。第１接続端子２３が圧着された一対の第１端子付電線１３は、図５の（ｂ）に示すように、カバー１５の被ガイド部５１を挟んで一対の縦溝部５３にセットされる。
【００３６】
図６の（ａ）は第１端子付電線１３がスペーサ１７により保持されたカバー１５を表す手順説明図、図６の（ｂ）は第２端子付電線１９がセットされたコネクタハウジング１１と第１端子付電線１３が保持されたカバー１５の組み付け前の状態を表す手順説明図、図７はスペーサ１７とカバー１５との係止構造を表す要部拡大図である。
次いで、図６（ａ）に示すように、カバー１５に、スペーサ１７が取り付けられる。スペーサ１７は、図７に示すように、カバー係合側板７１が、カバー１５のスペーサ係合板６１に係合してカバー１５に固定される。第１端子付電線１３は、カバー１５に取り付けられるスペーサ１７により第１接続端子２３及び電線２１の端末部がカバー１５に保持される。
【００３７】
これにより、コネクタ１００は、図６（ｂ）に示すように、第２端子付電線１９を保持したコネクタハウジング１１と、第１端子付電線１３を保持したカバー１５とのサブアッセンブリ品の組み付けが完了する。
【００３８】
図８は第２端子付電線１９がセットされたコネクタハウジング１１を要部拡大図と共に表した手順説明図である。
次いで、コネクタハウジング１１とカバー１５とが組み付けられる。コネクタハウジング１１の背面には、第２接続端子２５が装着された第２端子収容室４１の上方に、一対の第１端子収容室３９の端子挿入口４３が開放している。
【００３９】
図９は第１端子付電線１３がセットされたカバー１５を要部拡大図と共に表した手順説明図である。
一方、カバー１５の前面からは、保持された一対の第１端子付電線１３の第１端子接続部２７が前方に突出している。カバー１５をコネクタハウジング１１に取り付ける際、この第１端子接続部２７が、コネクタハウジング１１の端子挿入口４３に先ず挿入される。円筒状の第１端子接続部２７は、図８に示した第１端子収容室３９の円形の端子挿入口４３に進入する。このとき、コネクタハウジング１１とカバー１５とは、同心円同士の端子挿入口４３と第１端子接続部２７とにより、上下方向及び左右方向に位置合わせされ、挿入軸が第一段階として位置決めされる。
【００４０】
図１０に示すように、カバー１５は、第１接続端子２３の第１端子接続部２７が第１端子収容室３９に挿入案内される。カバー１５は、一対のハウジングロック側板５７が、コネクタハウジング１１の電線収容箱部３３の両側面に近接配置される。
【００４１】
その後、カバー１５は、図１１に示すように、被ガイド部５１が、コネクタハウジング１１のガイド部４９に進入する。これにより、コネクタハウジング１１とカバー１５とは、被ガイド部５１とガイド部４９とにより挿入軸が第二段階として位置決めされる。このように、コネクタ１００は、コネクタハウジング１１に対するカバー１５の位置決めが、段階的になされながらカバー１５がコネクタハウジング１１に取り付けられる。
【００４２】
図１２は組み付けが完了したコネクタ１００の斜視図である。
カバー１５は、更にコネクタハウジング１１に接近すると、一対のハウジングロック側板５７が、コネクタハウジング１１のロック突起３５に係合する。これにより、カバー１５は、ハウジングロック側板５７を介してコネクタハウジング１１の背面に離脱不能に固定される。
【００４３】
コネクタ１００は、このカバー１５の固定状態で、第２端子収容室４１に収容された第２接続端子２５がスペーサ１７の端子座部６９（図６参照）によって押圧され、第２端子収容室４１からの離脱が規制された状態となる。また、第１接続端子２３は、スペーサ１７の背面に設けられたスペーサ凹溝部６５及び端子押さえ部６７（図４参照）と、カバー１５の前面に設けられた一対の縦溝部５３（図３の（ａ）参照）とによって挟まれて第１端子収容室３９からの離脱が規制された状態となる。これにより、コネクタ１００は、組み立てが完了する。
【００４４】
次に、上記したコネクタの組立方法の作用を説明する。
本第１実施形態に係るコネクタの組立方法では、コネクタ１００が、第１端子付電線１３と、第２端子付電線１９とを有する。第１端子付電線１３の第１端子接続部２７は、第２端子付電線１９の第２端子接続部２９よりも長い。第２端子接続部２９が短い第２端子付電線１９は、第１端子付電線１３よりも先に第２端子接続部２９がコネクタハウジング１１の第２端子収容室４１に挿入される。第１端子接続部２７が長い第１端子付電線１３は、カバー１５に保持された状態で、第２端子付電線１９の後方から重ねられてコネクタハウジング１１の第１端子収容室３９へ挿入することができる。
【００４５】
この際、第１端子付電線１３は、先ず、第１端子接続部２７が第１端子収容室３９の端子挿入口４３に挿入されて挿入案内される。挿入過程において、続けてカバー１５の被ガイド部５１がコネクタハウジング１１のガイド部４９に嵌合される。これにより、カバー１５は、コネクタハウジング１１に対して位置規制されながらコネクタハウジング１１に取り付けられる。カバー１５は、クリアランスの大きい第１端子接続部２７と端子挿入口４３による規制、クリアランスの小さい被ガイド部５１とガイド部４９とによる規制と、徐々に規制範囲が小さくなるので、組み付け作業を段階的に良好に行うことができる。
【００４６】
また、本第１実施形態のコネクタの組立方法では、複数の第１端子付電線１３が、スペーサ１７によりカバー１５の一対の縦溝部５３からなる電線保持部７７（図３の（ａ）参照）に保持される。つまり、複数の第１端子付電線１３が、カバー１５にプリセットされる。これにより、複数の第１端子付電線１３はフリーとならず、端子同士の接触や電線同士の絡みが生じない。
【００４７】
また、カバー１５は、全ての第１端子付電線１３を保持した状態で、コネクタハウジング１１に取り付けられる。カバー１５は、コネクタハウジング１１に取り付けられる際、スペーサ１７が第２接続端子２５に当接する。これにより、スペーサ１７は、第２端子収容室４１に収容された第２接続端子２５の抜け止めをすることができる。
【００４８】
また、カバー１５は、全ての第１端子付電線１３を保持した状態で、コネクタハウジング１１に取り付けられる。カバー１５は、コネクタハウジング１１に取り付けられる際、先ず、保持している第１端子付電線１３の第１接続端子２３が、第１端子収容室３９に挿入される。この際、２本の第１端子付電線１３は、カバー１５によって既に第１接続端子２３が所定の順に並べられているので、第１接続端子２３をコネクタハウジング１１の第１端子収容室３９へ挿入すればよく、挿入対象の第１端子収容室３９を確認する手間が省け、挿入作業を良好に行うことができる。
【００４９】
次に、本発明に係るコネクタの第２実施形態を説明する。
図１３は本発明の第２実施形態に係るコネクタの分解斜視図である。
本第２実施形態に係るコネクタの組立方法に用いられるコネクタ２００は、コネクタハウジング７９と、第１端子付電線８１と、カバー８３と、リテーナ８５と、を有する。なお、本第２実施形態において、上下前後左右の方向は、図１３に示した矢印の方向に従う。
【００５０】
本第２実施形態に係る第１端子付電線８１は、電線８７の端末部に、第１接続端子８９が接続されている。第１接続端子８９は、導電性の良好な金属板を板金加工して形成されている。第１接続端子８９は、先端側から箱状の電気接触部９１と、導体圧着部９３と、被覆電線圧着部９５と、が順に連設されている。第１接続端子８９は、電気接触部９１が箱状に形成されることで雌端子となる。電気接触部９１の内側には、相手側コネクタ（図示略）の雄タブ端子が進入する。本第２実施形態において、電線８７は、単一の導体が絶縁被覆により覆われた単線となる。電線８７は、端末部の絶縁被覆が剥かれることで露出した導体が導体圧着部９３に圧着される。電線８７は、導体より基端側の絶縁被覆が被覆電線圧着部９５に圧着されることにより端末部に第１接続端子８９が取り付けられた第１端子付電線８１となる。
【００５１】
第１接続端子８９は、電気接触部９１と導体圧着部９３との間が、挿入方向後端部９７（図１５の（ｂ）参照）となる。この挿入方向後端部９７には、電気接触部９１の軸回りの挿入姿勢を規制する規制片９９（スタビライザ）が突設される。この規制片９９は、コネクタハウジング７９の第１端子収容室１０１に端子挿入方向で形成される規制溝（図示略）に進入する。これにより、第１接続端子８９は、軸回りの所定の挿入姿勢以外では、第１端子収容室１０１へ挿入できなくなっている。
【００５２】
コネクタハウジング７９は、絶縁樹脂材により一体成形される。コネクタハウジング７９は、平板状の嵌合部１０３の後端に、直角に垂下する平板状の電線収容箱部１０５が連設されたＬ字形に形成されている。コネクタハウジング７９の両側面には、上下一対のカバー係合凸部１０７が突設されている。カバー係合凸部１０７は、カバー８３をコネクタハウジング７９に係止する。嵌合部１０３には、左右方向に複数の第１端子収容室１０１が並設される。本第２実施形態では、４つの第１端子収容室１０１が形成されている。それぞれの第１端子収容室１０１には、電気接触部９１に係合するランス等の端子係合弾性部（図示略）が設けられている。
【００５３】
第１端子収容室１０１は、嵌合部１０３の先端面が相手端子進入口１０９となって開口している。また、第１端子収容室１０１は、嵌合部１０３の背面が端子挿入口１１１（図１５参照）となって開口している。電線収容箱部１０５の背面には、上下方向に延在する複数の電線収容溝１１３が平行に形成されている。電線収容溝１１３は、第１端子収容室１０１の数と同数（４本）で形成されている。電線収容溝１１３は、上端が端子挿入口１１１に接続される。コネクタハウジング７９は、第１端子収容室１０１に第１接続端子８９が装着された第１端子付電線８１の電線８７が、電線収容箱部１０５に沿って直角に曲げられることにより、それぞれの電線８７が電線収容溝１１３に収容される。
【００５４】
カバー８３は、絶縁樹脂材により一体成形される。カバー８３は、前面及び下面が開口した箱状に形成されている。カバー８３は、第１端子収容室１０１の端子挿入口１１１及び電線収容溝１１３を覆うようにコネクタハウジング７９に取り付けられる。カバー８３の両側板には、コネクタハウジング７９のカバー係合凸部１０７に係止されるハウジング係止穴１１５と不図示の係止部が形成されている。カバー８３の上面板１１７には、左右方向に４つのＵ字状の切欠１１９が形成されている。この切欠１１９には、第１端子付電線８１の電線８７が挿入される。カバー８３の前面には、切欠１１９の下方に、４つの電線保持部１２１が形成されている。それぞれの電線保持部１２１は、一対の逆Ｌ字状の保持脚１２３（図１６参照）からなる。電線保持部１２１は、一対の保持脚１２３を弾性変形させて拡開させながら電線８７を挿入することで、電線８７を挟んで保持する。また、電線保持部１２１は、保持した電線８７が電線８７の延在方向に動けるように挟む。
【００５５】
カバー８３は、切欠１１９と電線保持部１２１との間の前面に、左右方向に長い突起挿通穴１２５が穿設されている。突起挿通穴１２５には、リテーナ８５に設けられた係止突起１２７が挿通される。
【００５６】
図１４は図１３に示したカバー８３とリテーナ８５の分解斜視図である。
カバー８３の背面には、リテーナ嵌合凹部１２９が形成されている。リテーナ嵌合凹部１２９の上部には、上述の突起挿通穴１２５が開口する。リテーナ嵌合凹部１２９の左右には、上下に延在するリテーナ側板挿入溝１３１が形成されている。
【００５７】
リテーナ８５は、絶縁樹脂材により一体成形される。リテーナ８５は、左右方向に長い矩形状の基板部１３３の両側に、前方に向かって突出する一対の平行なリテーナ側板１３５が形成されている。リテーナ８５は、基板部１３３がカバー８３のリテーナ嵌合凹部１２９に嵌合し、一対のリテーナ側板１３５がカバー８３のリテーナ側板挿入溝１３１に挿入される。基板部１３３の上部前面には、前方に向かって突出する複数の係止突起１２７が左右方向に並設されている。本第２実施形態において、係止突起１２７は、４本となる。係止突起１２７は、リテーナ８５のリテーナ側板１３５がカバー８３のリテーナ側板挿入溝１３１に装着されることで、突起挿通穴１２５を貫通してカバー８３の前面から突出する。カバー８３の前面から突出した係止突起１２７は、カバー８３の電線保持部１２１に保持される第１端子付電線８１のそれぞれの電線８７を所定間隔に保持することができる。カバー８３は、リテーナ８５を装着した状態で、サブアッセンブリ品となる。
【００５８】
また、それぞれのリテーナ側板１３５の上端面には、係止爪１３７（図１４参照）が突設されている。この係止爪１３７は、カバー８３のリテーナ側板挿入溝１３１に形成される仮係止部（図示略）と本係止部（図示略）とに段階的に係止される。リテーナ８５は、係止爪１３７が仮係止部に係止されることで、基板部１３３がリテーナ嵌合凹部１２９に嵌る直前のプリセット位置に突出して保持される。リテーナ８５は、係止爪１３７が本係止部に係止されることで、基板部１３３がリテーナ嵌合凹部１２９に嵌着した本係止状態とされる。
【００５９】
ここで、リテーナ８５は、本係止状態で、係止突起１２７の先端が、第１端子収容室１０１の所定位置に進入することとなる。係止突起１２７は、第１端子収容室１０１の所定位置に進入することで、第１端子収容室１０１に装着されている第１接続端子８９の規制片９９に後方より当接する。すなわち、第１接続端子８９は、規制片９９に係止突起１２７が当接することにより、第１端子収容室１０１からの離脱が二重に規制される。
【００６０】
なお、本第２実施形態では、係止突起１２７が、規制片９９に当接する例を説明したが、係止突起１２７は、電気接触部９１の挿入方向後端部９７に直接当接することにより第１接続端子８９を二重係止する構成であってもよい。
【００６１】
次に、上記構成を有する本第２実施形態に係るコネクタの組立方法を説明する。
図１５の（ａ）は第１端子付電線８１がセットされたカバー８３を表す手順説明図、図１５の（ｂ）はカバー８３に保持された第１端子付電線８１の第１接続端子８９が端子挿入口１１１に挿入される直前の状態を表す手順説明図である。
本第２実施形態のコネクタの組立方法では、図１３に示すように、電線８７の端末部に、先ず、第１接続端子８９が圧着される。電線８７は、絶縁被覆が除去されて導体に第１接続端子８９の導体圧着部９３が圧着され、絶縁被覆が被覆電線圧着部９５に圧着される。これにより、電線８７は、第１端子付電線８１となる。
【００６２】
カバー８３には、リテーナ８５が、仮係止位置に装着されている。リテーナ８５が装着されたカバー８３のサブアッセンブリ品には、それぞれの電線保持部１２１に第１端子付電線８１がセットされる。第１端子付電線８１は、電線８７が電線保持部１２１に挟まれ、その先端側が切欠１１９に保持される。また、第１端子付電線８１は、電線保持部１２１と切欠１１９との間の電線８７が、リテーナ８５の係止突起１２７により離間して所定間隔に位置決めされる。すなわち、複数の第１端子付電線８１は、電線保持部１２１に保持されながら、カバー８３に仮係止位置でプリセットされているリテーナ８５の係止突起１２７によって所定間隔に保持された状態となる。
【００６３】
図１６はカバー８３に設けられる電線保持部１２１の要部拡大図である。
第１端子付電線８１は、電線保持部１２１に挟まれた状態で、電線保持部１２１からの離脱が規制される。電線保持部１２１は、電線８７の離脱を規制する一方、電線８７の長手方向の移動は可能としている。従って、第１端子付電線８１は、図１５（ａ）の上下方向に沿って、電線保持部１２１に対する位置調整が可能となる。
【００６４】
複数の第１端子付電線８１は、図１５（ｂ）に示すように、カバー８３に保持された状態で、それぞれの第１接続端子８９が、第１端子収容室１０１に順次挿入される。
【００６５】
図１７の（ａ）はリテーナ８５が仮係止位置のカバー８３及びコネクタハウジング７９を表す手順説明図、図１７の（ｂ）はリテーナ８５が本係止位置となったカバー８３及びコネクタハウジング７９を表す手順説明図である。
カバー８３は、全ての第１接続端子８９が第１端子収容室１０１に装着された後、電線保持部１２１に対して電線８７の位置が調整されて、図１７（ａ）に示すように、コネクタハウジング７９に装着される。すなわち、コネクタ２００では、電線保持部１２１に対する第１端子付電線８１の長手方向に沿った保持位置を調整しながら、第１端子収容室１０１に収容された第１接続端子８９を抜け止めすると共に、電線収容箱部１０５に沿って直角に曲げられて電線収容溝１１３に収容された電線８７を覆うため、カバー８３がコネクタハウジング７９に取り付けられる。
【００６６】
コネクタ２００は、図１７に示すように、カバー係合凸部１０７にハウジング係止穴１１５と不図示の係止部が係止されて、カバー８３がコネクタハウジング７９にセットされる。この際、リテーナ８５は、未だ仮係止位置とされ、基板部１３３がリテーナ嵌合凹部１２９から後方へ突出した状態となっている。コネクタ２００は、この状態で、リテーナ８５がリテーナ嵌合凹部１２９に押し込まれる。
【００６７】
図１８に示すように、コネクタ２００は、コネクタハウジング７９に取り付けられたカバー８３に、プリセットされているリテーナ８５が本係止位置に移動されることにより、第１端子収容室１０１に収容された第１接続端子８９の挿入方向後端部９７（本実施形態では規制片９９）がリテーナ８５の係止突起１２７に対向配置される。これにより、第１接続端子８９は、図示しないランスと係止突起１２７とにより二重に抜け止めされる。
コネクタ２００は、このリテーナ８５の本係止状態で、組み立てが完了する。
【００６８】
次に、上記したコネクタの組立方法の作用を説明する。
本第２実施形態に係るコネクタの組立方法では、複数の第１端子付電線８１が、カバー８３の電線保持部１２１に保持される。つまり、複数の第１端子付電線８１が、カバー８３にプリセットされる。それぞれの第１端子付電線８１は、第１接続端子８９が電線８７の端末部に圧着された後、圧着順にカバー８３へ保持させることができる。そのため、複数の第１端子付電線８１はフリーとならず、端子同士の接触や電線同士の絡みが生じない。
【００６９】
また、本第２実施形態のコネクタの組立方法では、ストレート形状の第１接続端子８９を設けた第１端子付電線８１において、電線８７を曲げることにより、Ｌ字タイプのコネクタ２００と、一般的な水平タイプのコネクタとで、第１端子付電線８１を共用できる。
また、電線８７を９０度曲げする際に、カバー８３（特に前方に突出するリテーナ８５の係止突起１２７）で位置規制することにより、カバー８３とコネクタハウジング７９を組み付ける際の電線８７の挟み込みを防止できる。
【００７０】
また、本第２実施形態のコネクタの組立方法では、第１端子付電線８１が、カバー８３に保持される。カバー８３には、リテーナ８５が装着される。リテーナ８５は、カバー８３に対し、仮係止位置とコネクタハウジング７９に近接する位置の本係止位置とに、選択的に配置が可能となっている。また、リテーナ８５には、複数の係止突起１２７が並設される。係止突起１２７は、カバー８３を貫通し、電線保持部１２１に保持されている複数の第１端子付電線８１を、所定間隔に位置決め可能とする。これにより、コネクタ２００は、複数の第１端子付電線８１が、カバー８３の電線保持部１２１に保持される。つまり、カバー８３には、複数の第１端子付電線８１が、プリセットされる。それぞれの第１端子付電線８１は、第１接続端子８９が圧着された後、圧着順にカバー８３へ保持される。そのため、複数の第１端子付電線８１はフリーとならず、端子同士の接触や電線同士の絡みが生じない。
【００７１】
カバー８３は、全ての第１端子付電線８１を保持した状態で、コネクタハウジング７９に取り付けられる。この際、複数の第１端子付電線８１は、カバー８３の電線保持部１２１とカバー８３に装着されたリテーナ８５の係止突起１２７とによって既に第１接続端子８９が所定の順に並べられている。このため、第１端子付電線８１は、例えば左側から順に第１接続端子８９をコネクタハウジング７９の第１端子収容室１０１へ挿入していけばよく、挿入対象の第１端子収容室１０１を確認する手間が省け、挿入作業を良好に行うことができる。
【００７２】
リテーナ８５は、カバー８３がコネクタハウジング７９に取り付けられた後、本係止位置に移動される。リテーナ８５は、本係止位置に移動されると、係止突起１２７が第１接続端子８９の挿入方向後端部９７を係止する。これにより、リテーナ８５は、第１接続端子８９が第１端子収容室１０１から抜け出すのを阻止することができる。
【００７３】
従って、上述した第１及び第２実施形態に係るコネクタの組立方法によれば、電線２１（８７）の絡みや端子２３，２５（８９）の傷付きを防止して、端子挿入作業を良好に行うことができる。
【００７４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００７５】
ここで、上述した本発明に係るコネクタの組立方法の実施形態の特徴をそれぞれ以下［１］〜［４］に簡潔に纏めて列記する。
［１］  複数の端子収容室（第１端子収容室３９（１０１）及び第２端子収容室４１）を有するコネクタハウジング（１１，７９）と、
前記各端子収容室に収容される第１接続端子（２３，８９）が端末部にそれぞれ接続された複数の第１端子付電線（１３，８１）と、
前記複数の端子収容室の端子挿入口（４３，１１１）を覆うように前記コネクタハウジングに取り付けられるカバー（１５，８３）と、を備えたコネクタ（１００，２００）の組立方法であって、
前記複数の第１端子付電線が、前記カバーの電線保持部（７７，１２１）に保持される工程と、
前記カバーに保持された前記複数の第１端子付電線における前記第１接続端子が、前記端子収容室（第１端子収容室３９（１０１））にそれぞれ挿入される工程と、
前記端子収容室に収容された前記第１接続端子を抜け止めするために、前記カバーが前記コネクタハウジングに取り付けられる工程と、
を含むことを特徴とするコネクタの組立方法。
［２］  前記コネクタ（１００）は、前記第１接続端子（２３）よりも端子接続部（第２端子接続部２９）の長さが短い第２接続端子（２５）が端末部にそれぞれ接続された第２端子付電線（１９）を有しており、
前記第２接続端子の端子接続部が、前記コネクタハウジング（１１）の前記端子収容室（第２端子収容室４１）に挿入される工程と、
前記第１接続端子（２３）が、前記カバー（１５）に保持される工程と、
前記カバーに保持された前記第１接続端子の端子接続部（第１端子接続部２７）が前記端子収容室（第１端子収容室３９）に挿入案内された後、前記カバーの被ガイド部（５１）が前記コネクタハウジングのガイド部（４９）に嵌合されて前記コネクタハウジングに対する位置決めをされながら前記カバーが前記コネクタハウジングに取り付けられる工程と、
を含むことを特徴とする上記［１］に記載のコネクタの組立方法。
［３］  前記カバー（１５）に取り付けられるスペーサ（１７）により前記第１接続端子（２３）が前記カバーに保持される工程と、
前記端子収容室（第２端子収容室４１）に収容された前記第２接続端子（２５）を前記スペーサで抜け止めするために前記カバーが前記コネクタハウジング（１１）に取り付けられる工程と、
を含むことを特徴とする上記［２］に記載のコネクタの組立方法。
［４］  前記カバー（８３）に仮係止位置でプリセットされているリテーナ（８５）の係止突起（１２７）によって、前記電線保持部（１２１）に保持されている前記複数の第１端子付電線（８１）が所定間隔に保持される工程と、
前記電線保持部に対する前記第１端子付電線の長手方向に沿った保持位置を調整しながら、前記端子収容室（１０１）に収容された前記第１接続端子（８９）を抜け止めするため前記カバーが前記コネクタハウジング（７９）に取り付けられる工程と、
前記コネクタハウジングに取り付けられた前記カバーにプリセットされている前記リテーナが本係止位置に移動されることにより、前記端子収容室に収容された前記第１接続端子の挿入方向後端部（９７）が前記リテーナの係止突起により係止されて抜け止めされる工程と、
を含むことを特徴とする上記［１］に記載のコネクタの組立方法。
【符号の説明】
【００７６】
１１…コネクタハウジング
１３…第１端子付電線
１５…カバー
１７…スペーサ
１９…第２端子付電線
２３…第１接続端子
２５…第２接続端子
２７…第１端子接続部（端子接続部）
２９…第２端子接続部（端子接続部）
３９…第１端子収容室（端子収容室
４１…第２端子収容室（端子収容室）
４３…端子挿入口
４９…ガイド部
５１…被ガイド部
７７…電線保持部
【図１】
0006768304.tif 000002
【図２】
0006768304.tif 000003
【図３】
0006768304.tif 000004
【図４】
0006768304.tif 000005
【図５】
0006768304.tif 000006
【図６】
0006768304.tif 000007
【図７】
0006768304.tif 000008
【図８】
0006768304.tif 000009
【図９】
0006768304.tif 000010
【図１０】
0006768304.tif 000011
【図１１】
0006768304.tif 000012
【図１２】
0006768304.tif 000013
【図１３】
0006768304.tif 000014
【図１４】
0006768304.tif 000015
【図１５】
0006768304.tif 000016
【図１６】
0006768304.tif 000017
【図１７】
0006768304.tif 000018
【図１８】
0006768304.tif 000019
【図１９】
0006768304.tif 000020